(57)【要約】【課題】試料を泳動分離して転写をおこなう際に、ゲルの装置からの取り外しを不要とした電気泳動転写装置を提供する。【解決手段】本発明に係る電気泳動転写装置１０は、試料分離用ゲル５を挟んで配置される一対の電極１、２と、前記試料分離用ゲル５に対する前記一対の電極１、２の配置を、前記泳動分離をおこなう第一の配置と、前記転写をおこなう第二の配置とに変化させる電極移動手段４とを備えている。【選択図】図１
2009063454.tif 000002
【特許請求の範囲】
【請求項１】
試料分離用ゲルを用いて試料を泳動分離するとともに、泳動分離した試料を該試料分離用ゲルから転写対象物に転写する電気泳動転写装置であって、
前記試料分離用ゲルを挟んで配置される一対の電極と、
前記試料分離用ゲルに対する前記一対の電極の配置を、前記泳動分離をおこなう第一の配置と、前記転写をおこなう第二の配置とに変化させる電極移動手段とを備えていることを特徴とする電気泳動転写装置。
【請求項２】
前記電極移動手段は、ローラーを有していることを特徴とする請求項１に記載の電気泳動転写装置。
【請求項３】
前記一対の電極は、柔軟性を有する膜状の電極であることを特徴とする請求項１または２に記載の電気泳動転写装置。
【請求項４】
前記一対の電極の各々は、非導電性の材料を介してつながっており、
前記一対の電極、および前記非導電性の材料は、無端ベルトを構成していることを特徴とする請求項３に記載の電気泳動転写装置。
【請求項５】
前記一対の電極は、板状電極であることを特徴とする請求項１または２に記載の電気泳動転写装置。
【発明の詳細な説明】
【技術分野】
【０００１】
本発明は、試料の電気泳動および転写に用いる電気泳動転写装置に関する。
【背景技術】
【０００２】
タンパク質や核酸などの試料を、その性質の違いにより分離して検出するさまざまな手法が開発され、またそのための装置が開発されている。分離手法としては、ゲル電気泳動、キャピラリー電気泳動、液体クロマトグラフィーなどがあるが、その簡易さおよび分離能の高さからゲル電気泳動が広く利用されている。
【０００３】
ゲル電気泳動には、１方向へのみ試料を分離する電気泳動、および２つの方向へ試料を分離する２次元電気泳動がある。２次元電気泳動は、一般にタンパク質を分析する場合におこなわれる。
【０００４】
２次元電気泳動によりタンパク質を分離する場合には、１次元方向への分離に、ポリアクリルアミドゲルを用いた等電点電気泳動が利用されている。等電点電気泳動は、ゲルに電圧を印加し、タンパク質の等電点の違いにより分離をおこなう手法である。また、２次元方向への分離には、陰イオン系界面活性剤であるドデシル硫酸ナトリウム（ＳＤＳ）を用いたＳＤＳ−ポリアクリルアミドゲル電気泳動（ＳＤＳ−ＰＡＧＥ）が広く利用されている。２次元電気泳動は、一度に多くのタンパク質を分離し、網羅的に解析できるため、プロテオーム解析に広く利用されている。
【０００５】
また、電気泳動により分離したタンパク質または核酸などの試料を検出する手法としては、ゲル中の分離した試料を転写膜に移動させて固定化する転写（ブロッティング）をおこない、膜に転写された試料を、標識した抗体またはプローブを用いて検出する手法が挙げられる。転写膜は、試料が結合しやすく、かつ疎水性の高いニトロセルロース膜またはＰＶＤＦ（Ｐｏｌｙｖｉｎｙｌｉｄｅｎｅ  ｄｉｆｌｕｏｒｉｄｅ）膜などが用いられる。このような手法として、抗体を用いてタンパク質を検出するウェスタンブロッティング法、標識した核酸プローブを用いてＲＮＡを検出するノーザンブロッティング法、および、標識した核酸プローブを用いてＤＮＡを検出するサザンブロッティング法が知られている。
【０００６】
一般に、電気泳動をおこなうための電気泳動装置と、転写をおこなうための転写装置とは、それぞれ独立した装置として存在している。図９（ａ）は、従来の電気泳動装置の断面図であり、図９（ｂ）は、一般的な転写装置の断面図である。
【０００７】
図９（ａ）に示す電気泳動装置８０は、陰極側電極８１と陽極側電極８２とがホルダー８５に固定されている。ホルダー８５の内部は、泳動バッファー８４によって満たされている。ゲル８３は、ホルダー８５によって装置に固定されている。ＤＮＡ、ＲＮＡなどの核酸分子試料は負電荷を持つので、陰極側電極８１と陽極側電極８２とに接続された電源（不図示）の電圧印加によって、これらの試料はゲル８３の内部を陰極側電極８１から陽極側電極８２の方向へ移動し、試料の特性の違いにより分離する。また、ＳＤＳ−ＰＡＧＥによりタンパク質試料を分離する場合には、タンパク質は負電荷のＳＤＳに取り囲まれるので、電源の電圧印加によって、ＳＤＳに取り囲まれたタンパク質は、ゲル８３の内部を陰極側電極８１から陽極側電極８２の方向へ移動し、試料の特性の違いにより分離する。
【０００８】
図９（ｂ）に示す転写装置９０は、陰極側電極９１と陽極側電極９２とがホルダー９５に固定されている。ホルダー９５の内部は、転写バッファー９４で満たされている。ゲル９３は、ホルダー９５によって装置に固定されており、ゲル９３と陽極側電極９２との間に転写膜９６が配置されている。電源（不図示）の電圧印加によって、試料はゲル９３の内部を陰極側電極９１から陽極側電極９２の方向へ移動し、転写膜９６に到達して、転写膜９６に転写される。
【０００９】
従来、電気泳動によって分離した試料を転写膜に転写させるには、電気泳動後のゲルを電気泳動装置から取り外し、転写装置に移して、転写をおこなう必要がある。そのため、操作に手間がかかるうえに、電気泳動後のゲルを電気泳動装置から取り外して、ゲルを破損することなく転写装置に移動させるための熟練も必要となる。
【００１０】
上述した問題を解決するための技術として、たとえば、電気泳動装置を利用して、電気的転写をおこなう技術が特許文献１に開示されている。
【００１１】
図１０は、特許文献１に開示された電気泳動装置の構成を示す図である。特許文献１に開示されている電気泳動装置７９は、水平型サブマリン電気泳動装置７９の凸型状プラットフォーム７２の上にゲル７３を載置し、電気泳動槽７１の内部に電気泳動用の緩衝液７４を入れてゲル７３を浸漬した状態で電気泳動をおこなう。電気泳動が終了したら、プラットフォーム７２からゲル７３を取り外し、膜（転写膜）７８を密着させて、これらを電気的転写用板状電極７７の間に挟み込んでプラットフォーム７２の上に載置する。そして、ゲル７３および膜７８を緩衝液７４に浸漬しないようにして、電気的転写をおこなう。これにより、電気泳動と転写とを１つの装置でおこなうことができる。
【特許文献１】特開２０００−２８５７８号公報（平成１２年１月２８日公開）
【発明の開示】
【発明が解決しようとする課題】
【００１２】
上述したように、一般的には、電気泳動から転写までの間に、「電気泳動装置へのゲルのセット」、「電気泳動」、「ゲルの取り出し」、「転写装置へのゲルと転写膜のセット」、「転写」、および「転写膜の取り出し」という６つの工程が必要である。これらの工程の中でも、電気泳動後のゲルを電気泳動装置から取り外し、転写装置にセットするまでの操作は手作業でおこなわれている。ところが、ゲルは柔軟性が高いため、ゲルを電気泳動装置から取り外し、転写装置にセットする一連の操作には、実験者の熟練を要する。そして、その熟練度が、実験の再現性および実験の精度に大きな影響を及ぼす。たとえば、実験者の熟練度が低い場合には、電気泳動後のゲルを電気泳動装置から取り外して転写装置にセットする過程において、ゲルが破れてしまったり、ゲルと転写膜との間に気泡が入ったり、ゲルに歪みが生じたりして、良好な実験結果が得られないという問題が発生していた。さらに、電気泳動後のゲルを破損し、転写に用いることができない場合には、高価かつ貴重な試料を失うことになる。また、電気泳動を再度おこなわなければならず、手間が増えることになる。
【００１３】
また、特許文献１に開示された技術では、電気泳動装置を利用して転写をおこなうことができるものの、電気泳動後に、手作業で、図１０に示したゲル７３をプラットフォーム７２から取り外して、電気的転写用板状電極７７の間に挟み込んだ後、再度、プラットフォーム７２に載置する必要がある。よって、依然として実験者の熟練が必要である。
【００１４】
そこで、本発明は上述した問題点に鑑みてなされたものであり、その目的は、電気泳動後のゲルを装置から取り外すことなく、同一装置を用いて転写をおこなうことができる電気泳動転写装置を提供することにある。
【課題を解決するための手段】
【００１５】
本発明に係る電気泳動転写装置は、上述した問題を解決するために、試料分離用ゲルを用いて試料を泳動分離するとともに、泳動分離した試料を該試料分離用ゲルから転写対象物に転写する電気泳動転写装置であって、前記試料分離用ゲルを挟んで配置される一対の電極と、前記試料分離用ゲルに対する前記一対の電極の配置を、前記泳動分離をおこなう第一の配置と、前記転写をおこなう第二の配置とに変化させる電極移動手段とを備えていることを特徴とする。
【００１６】
前記構成によれば、試料を泳動分離する際には、電極移動手段により、試料分離用ゲルを挟んで配置される一対の電極を、泳動分離をおこなう第一の配置に移動させて、泳動分離をおこなう。泳動分離が終了したら、試料分離用ゲルを電気泳動転写装置内に載置したままの状態で、電極移動手段により、第一の配置にある一対の電極を、転写をおこなう第二の配置に移動させる。予め試料分離用ゲルに転写対象物を密着させておくことにより、電極を第二の配置に移動させた後に、転写をおこなうことができる。すなわち、試料を泳動分離した後に、分離した試料を含む試料分離用ゲルを電気泳動転写装置から取り外すことなく、転写対象物への転写をおこなうことができる。
【００１７】
そのため、泳動分離後のゲルを電気泳動装置から転写装置に移すときに生じていた、ゲルの破損および歪み、ならびにゲルと転写対象物との間への気泡の混入といった問題の発生を、実験者の熟練度に関係なく、防ぐことができる。
【００１８】
さらに本発明の電気泳動転写装置においては、上述した構成に加えて、前記電極移動手段は、ローラーを有しているが好ましく、また、前記一対の電極はそれぞれ、柔軟性を有する膜状の電極であることが好ましい。
【００１９】
前記構成によれば、上述した効果に加えて、電極は柔軟性を有する膜状であるので、電極の形状を変化させることができる。したがって、膜状の電極を広げて用いる必要のない場合には、複数のローラーを用いて膜状の電極を折り返したり、ローラーに巻き取ったりすることにより、電気泳動転写装置に対する電極の占有領域を小さくすることができる。それにより電気泳動転写装置を小型化することができる。
【００２０】
さらに本発明の電気泳動転写装置においては、上述した構成に加えて、前記一対の電極の各々は、非導電性の材料を介してつながっており、前記一対の電極、および前記非導電性の材料は、無端ベルトを構成していることが好ましい。
【００２１】
前記構成によれば、一対の電極は非伝導性の材料を介してつながっているので、上述した効果に加えて、一方の電極の配置を決定することにより、他方の電極の配置も決定することができる。また、無端ベルトを動かすことにより、一対の電極の位置が変化するので、駆動装置をもちいて電極を移動させる場合には、用いる駆動装置の数を少なくすることができる。
【００２２】
さらに本発明の電気泳動転写装置においては、上述した構成に加えて、前記一対の電極は、板状電極であることが好ましい。
【００２３】
前記構成によれば、電極は板状電極であり、広く用いられているものなので、電極を新たに作製する必要がない。したがって、上述した効果に加えて、電気泳動転写装置の作製のプロセスが簡略化される。
【発明の効果】
【００２４】
以上のように、本発明の電気泳動転写装置は、試料分離用ゲルを挟んで配置される一対の電極の配置を、泳動分離をおこなう第一の配置と、転写をおこなう第二の配置とに変化させる電極移動手段を備えているので、試料を泳動分離した後のゲルを電気泳動転写装置から取り外すことなく転写をおこなうことができ、ゲルを電気泳動装置から転写装置に移動させる際に生じえるゲルの破損や気泡の混入などを防ぐことができる。
【発明を実施するための最良の形態】
【００２５】
〔実施の形態１〕
本発明に係る電気泳動転写装置の一実施形態について、図１、図２、図７、および図８に基づいて説明すれば以下の通りである。
【００２６】
まず本実施形態における電気泳動転写装置の構成について、図２（ａ）および（ｂ）を用いて説明する。
【００２７】
図２（ａ）は、電気泳動転写装置１０の、泳動分離する方向に沿った断面図であり、図２（ｂ）は、電気泳動転写装置１０の、泳動分離する方向に直交する方向に沿った断面図である。図２（ａ）および（ｂ）に示すように、電気泳動転写装置１０は、ケース９の内部に、ローラー（電極移動手段）４と、一対の電極、すなわち陰極側電極１と、陽極側電極２とを備える構成である。ケース９は、ゲル（試料分離用ゲル）５および転写膜（転写対象物）７を固定する固定部１６を有している。電気泳動を開始する前に、固定部１６に、ゲル（試料分離用ゲル）５および転写膜（転写対象物）７を固定し、ケース９の内部を、バッファー８によって満たす。
【００２８】
陰極側電極１および陽極側電極２は、電気泳動転写装置１０の外部に設けられた電源（不図示）につながっており、ゲル５に電圧を印加するために用いられる。
【００２９】
陰極側電極１および陽極側電極２は、電気泳動転写装置１０に対してそれぞれ１つずつ設けられている。陰極側電極１および陽極側電極２は、電気泳動をおこなうための電極であるとともに、転写をおこなうための電極でもある。具体的には、陰極側電極１および陽極側電極２が、ゲル５を挟んで、電気泳動時と転写時とにおいて異なる配置をとることによって、電気泳動をおこなうための電極として機能し、かつ転写をおこなうための電極としても機能する。なお、どのような機構によって陰極側電極１および陽極側電極２の配置の変化を可能にしたかについては、後述する。
【００３０】
陰極側電極１および陽極側電極２は、柔軟性のある膜状の電極である。陰極側電極１と陽極側電極２とは互いに、非導電性でありかつ柔軟性のあるガイドシート（非導電性の材料）３を介してつながっており、陰極側電極１と、陽極側電極２と、ガイドシート３とは１つのループ状のシート（無端ベルト）１７を構成している。ガイドシート３としては、ポリイミド、ポリエステル、ポリカーボネート、フッ素樹脂、シリコーン、および塩化ビニル樹脂などのシートを用いることができる。
【００３１】
シート１７は、試料の分離に用いるゲル５をループの内部に配置できるようにケース９内に設置される。ゲル５の下面（ケース９の底部に対向する面）および上面は、つねに、シート１７のループの内壁を構成している面の一部と対向している。ゲル５は、たとえばアクリルアミドゲルおよびアガロースゲルなどの従来用いられているゲルでよく、公知の技術を用いて作製すればよい。たとえば、ゲル５の上面および下面の大きさが横幅８０ｍｍ×縦幅８０ｍｍで、厚さ１ｍｍである一般的な平板状ゲルを用いることができる。なお、ここでゲルの横幅とは、試料を泳動分離する方向と直交し、上面と平行な方向に沿ったゲル５の長さであり、ゲルの縦幅とは試料を泳動分離する方向に沿ったゲル５の長さである。なお、電気泳動転写装置１０のサイズを大きくすることにより、より大きなゲル５を用いることもできる。
【００３２】
陰極側電極１および陽極側電極２の大きさは等しく、各電極の横幅はゲルの横幅よりも大きく、各電極の縦幅はゲルの縦幅よりも大きいことが好ましい。なお、ここで電極の横幅とは、試料を泳動分離する方向と直交する方向に沿った長さであり、電極の縦幅とは、陰極側電極１または陽極側電極２を平面状に配置したときの、試料を泳動分離する方向に沿った長さである。このような構成とすることにより、電気泳動時、および転写時においてゲル全体に電圧を印加することができる。また陰極側電極１および陽極側電極２の厚さは、例えば、５０μｍ〜１５０μｍとすることができるが、十分な強度と柔軟性を有していればよく、上記範囲に限定されるものではない。
【００３３】
柔軟性のある陰極側電極１および陽極側電極２としては、白金を蒸着させた柔軟性のあるポリマーシート、または、樹脂内にカーボンなどの導電性の物質が練りこまれた柔軟性のあるシートを用いることができる。
【００３４】
ポリマーシートに白金を蒸着させる方法としては、真空蒸着およびスパッタなどの公知の技術を用いておこなえばよい。この場合には、膜厚が２０〜２００ｎｍとなるように蒸着させることが好ましい。ポリマーシートは、十分な強度と柔軟性を有しているものであって、白金を蒸着させることができるものであれば特に限定はなく用いることができ、例えば、ポリ塩化ビニル、およびポリスチレンなどを用いることができる。また、樹脂内にカーボンなどの導電性の物質を練りこまれた柔軟性のあるシートとしては、樹脂またはゴムにカーボン材が充填された市販の導電性シートを用いることができる。
【００３５】
陰極側電極１および陽極側電極２を上述のように異なる位置に配置を変更するために、本実施形態では、電気泳動転写装置１０の所定位置に配置された２つのローラー４を用いる。
【００３６】
２つのローラー４は、各々の回転軸１１が互いに平行であり、かつ、各々の回転軸１１がケース９の底面と平行であり、該底面からの高さが等しくなるように、ケース９の内部に取り付けられている。本実施形態においては、ローラー４の径は、互いに等しい。なお、本実施形態では、ローラー４は、図２（ａ）に示すように、ケース９の両端部にそれぞれ１つずつ配置されているが、本発明はこれに限定されるものではなく、少なくとも１つのローラー４が取り付けられていればよい。そのため、ケース９の両端部にそれぞれ取り付けるローラー４は複数であってもよい。なお、ケース９の両端部にそれぞれ複数のローラーを配設した構成については、実施の形態２において説明する。
【００３７】
ゲル５は、詳細は後述するが、２つのローラー４の間に配置される。具体的には、２つのローラー４のそれぞれの回転軸１１同士を結んで形成される仮想面（ケース９の底面と平行な面）と、ゲル５の上面とが平行となるように、ゲル５は配置される。
【００３８】
２つのローラー４は、回転軸１１と、電極の横幅の方向とが平行になるように、シート１７のループ内部に配置されている。ここで、２つのローラー４は、ループ状のシート１７に対して、ループの内側から外側に向けて所定のテンションをかけることができる位置に配置されている。これにより、シート１７は、ローラー４を介して、たるむことなくケース９内部に保持される。シート１７に適切なテンションをかけるために、ローラー４の取り付ける位置が調整できるように構成されていてもよい。このように、シート１７に適切なテンションがかけられることによって、シート１７のたるみを防ぐことができ、陰極側電極１および陽極側電極２の位置を、後述する転写をおこなう際の配置にあるときに、陰極側電極１と陽極側電極２との間の距離を一定に保つことができる。
【００３９】
２つのローラー４のうち、少なくとも一方にはモーターが接続されており、モーターによる駆動により、ローラー４は回転軸１１を中心に回転するように構成されている。ローラー４の回転により、上述のようにローラー４と接したシート１７も回転する。それにより、陰極側電極１および陽極側電極２の位置を、電気泳動または転写に最適な位置まで移動させることができる。
【００４０】
上述のようにローラー４の回転によって陰極側電極１および陽極側電極２の配置の変更を実現するにあたって、ローラー４の回転を、シート１７に正確に伝える必要がある。そのために、本実施形態では、ローラー４は、フッ素樹脂の芯にシリコーンゴムを巻いたものを用いている。シリコーンゴムの表面は滑りにくくなっているため、シート１７を滑らせずに動かすことができる。すなわち、ローラー４の回転をシート１７に正確に伝えることができる。また、シート１７を確実に動かす機構として、ローラー４の両端の表面に凹凸構造を設けたものであってもよい。
【００４１】
分離した試料を転写して、固定する転写膜７は、たとえば、ナイロン膜、ニトロセルロース膜、およびＰＶＤＦ膜などの、従来用いられているもので、核酸またはタンパク質が結合しやすい膜を使用することができる。
【００４２】
ゲル５および転写膜７は、電気泳動をおこなう前に、固定部１６に固定される。このときに、多孔質かつ非導電性の硬いシートを用いることができる。このようなシートを用いる場合には、転写膜７を固定部１６に載せる前に、予め、固定部１６に多孔質かつ非導電性の硬いシートを載せておき、その上に転写膜７を載置し、その上にゲル５を載せる。なお、転写膜７に傷がつくのを防止するために、ろ紙を載せておいてもよい。また、上記の硬いシートを用いない場合には、まず、転写膜７にテンションをかけて、ピン５３を用いて転写膜７を固定部１６に固定する。そして、転写膜７の上にゲル５を載せる。このとき、ゲル５はテンションのかかった転写膜７の上に載置されているので、ゲル５はたわむことはない。なお、ピン５３を用いて転写膜７を固定した場合には、図８（ａ）および（ｂ）に示すように、ピン５３にゲル５を突き刺すことにより、ゲル５を固定することもできる。ピン５３の径は１ｍｍ程度であり、用いる本数は、ゲル５の大きさにより決めればよい。本実施形態においては、１２本のピン５３を用いてゲル５を固定している。固定部１６は、電気泳動および転写の際の印加電圧を阻害しないように、転写膜７およびゲル５の縁部のみと接する構造となっている。またピン５３を用いない場合には、ゲル５の滑り止めとなるような凹凸を固定部１６のゲル５と接触する底面および側面に設けてもよい。なお、本実施形態においては、固定部１６は、ケース９に予め設けられているが、ケース９には設けられておらず、別途ケース９に取り付けるものであってもよい。
【００４３】
固定部１６は、固定部１６にゲル５および転写膜７をセットした状態で、ゲル５および転写膜７がシート１７のループ内部に配置されるように、設けられている。固定部１６に固定されたゲル５および転写膜７は、シート１７とは接触しない。したがって、ローラー４によって、陰極側電極１および陽極側電極２の配置を変化させるためにシート１７を回転させても、ゲル５および転写膜７が動くことはない。
【００４４】
ケース９の内部は、トリス−塩酸緩衝溶液のような一般的に電気泳動に用いられるバッファー８によって満たされている。バッファー８の液面は、シート１７よりも上部にある。すなわち、シート１７の全体がバッファー８に浸漬している。
【００４５】
なお、ゲル５の作製方法および電気泳動転写装置１０への固定方法は以下のような形態であってもよい。
【００４６】
図７に示している、電気泳動および転写の際に必要となる開口部を持つフレームカセットを用いてゲル５を作製する。ゲル作製溶液を開口部４２からフレームカセット４０に注入する。図７（ａ）に示すように、ゲル作製溶液が漏れないように、転写の際に電極が配置される面と、電気泳動の際に電極が配置される面の一方の面とに板４１を貼り付けることより覆っておく。重合してゲル化した後、これらの板４１を取り外し、図７（ｂ）に示すように、転写時に陽極側電極２が配置される面に転写膜７を密着させ、フレームカセット４０ごと電気泳動転写装置１０に固定する。このとき、フレームカセット４０をセットするよりも前に、予め、多孔質かつ非導電性の硬いシートを固定部１６の上に配置しておき、その上にフレームカセットを配置してもよい。
【００４７】
つぎに、電気泳動転写装置１０における電気泳動時および転写時の電極の配置について、図１（ａ）および（ｂ）を用いて説明する。
【００４８】
図１（ａ）は、電気泳動時におけるゲル５に対する陽極側電極２および陰極側電極１の配置（第一の配置）を示す図であり、図１（ｂ）は、転写時におけるゲル５に対する陽極側電極２および陰極側電極１の配置（第二の配置）を示す図である。
【００４９】
図１（ａ）に示すように、電気泳動時には、陽極側電極２および陰極側電極１が、ゲル５の下面および上面と対向しない位置にあって、かつ、ゲル５が陽極側電極２と陰極側電極１との間に位置するように配置される。すなわち、この状態においては、ゲル５の上面および下面は、ガイドシート３と対向している。ゲル５の上面に対向して配置されるガイドシート３には、ゲル５の陰極側の端部に対応するところに、スリット６が設けられている。泳動分離する試料をゲル５に導入する際には、スリット６を介して導入する。１次元のみの電気泳動をおこなう場合には、コームを用いて作製したゲル５のウェル部に、スリット６を介して、ピペットなどを用いて試料をアプライする。また、２次元電気泳動をおこなう場合には、予め、別の装置を用いてＩＰＧ（ｉｍｍｏｂｉｌｉｚｅｄ  ｐＨ  ｇｒａｄｉｅｎｔ）電気泳動をおこなって試料を分離しておき、分離した試料を含む支持板付きゲルを、スリット６を介して、ゲル５の陰極側の端面に密着させる。
【００５０】
ゲル５への試料の導入を完成させた後、ゲル５に電圧を印加し、電気泳動を開始する。試料がＤＮＡやＲＮＡなどの核酸分子である場合には、試料は負電荷をもつので、電界に従って、陰極側電極１から陽極側電極２へ向かう方向１４に沿って、ゲル５の中を移動する。試料がタンパク質である場合には、予めＳＤＳ処理などにより負電荷を帯電しているので、核酸分子の場合と同様に、陰極側電極１から陽極側電極２へ向かう方向１４に沿って移動する。試料がゲル５の内部を移動する速度は、試料の分子量（大きさ）によって異なるので、その移動速度の差異によって各試料の分離がなされる。
【００５１】
電気泳動が終了したら、モーターを用いてローラー４を回転させることによって、シート１７を回転させる。それにより陰極側電極１および陽極側電極２の配置を変化させ、図１（ｂ）に示すように、陰極側電極１および陽極側電極２を、それぞれゲル５の上面および下面に対向するように配置する。ここでは、ゲル５の上面と対向する位置には必ず陰極側電極１があり、ゲル５の下面と対向する位置には必ず陽極側電極２があるようにシート１７を移動させている。なお、バッファー８を電気泳動用のバッファーから転写用のバッファーに交換する場合には、このときに交換することができる。バッファー８の交換方法は、例えば、ケース９の下部にバッファー８の排出口を設けて、栓を抜くことによって電気泳動用のバッファー８を取り除き、転写を開始する前に、ケース９に転写用のバッファー８を注入することによりおこなうことができるが、これに限定されるものではない。
【００５２】
ついで、ゲル５に電圧を印加し、試料を転写膜７に向かって移動させ、転写をおこなう。転写膜７は、陽極側電極２と対向するゲル５の面に密着している。転写膜７は、ゲル５を電気泳動転写装置１０に固定する際に、すなわち電気泳動をおこなうよりも前に、ゲル５と密着させている。したがって、電気泳動後に、ゲル５を電気泳動転写装置１０から取り外し、転写膜７をゲル５に密着させて再び電気泳動転写装置１０に戻すという操作をおこなう必要がない。
【００５３】
陰極側電極１および陽極側電極２が図１（ｂ）に示す第二の配置にあるときに電圧を印加すると、試料は陰極側電極１から陽極側電極２へ向かう方向１５に沿って、ゲル５の中を移動する。試料が転写膜７に到達すると、転写膜７上に固定され、転写が終了する。転写が終了したら、転写膜７を電気泳動転写装置１０から取り外し、試料が転写された転写膜７を用いて、免疫反応などの実験をおこない、試料の分析をおこなう。
【００５４】
上述したように、電気泳動を開始する前にゲル５を電気泳動転写装置１０に固定した後は、転写が終了するまで、ゲル５を電気泳動転写装置１０から取り外したり、移動させたりすることはない。したがって、電気泳動後のゲル５が、転写をおこなう前に破れたり歪んだりすることを防ぐことができる。さらに、電気泳動をおこなう前に、ゲル５と転写膜７とを密着させるため、バッファー８の中での操作が可能であり、ゲル５と転写膜７との間に混入してしまう気泡を除去することが容易となる。また、仮に、ゲル５と転写膜７とを電気泳動転写装置１０に固定する際にゲルの損傷があったとしても、電気泳動をおこなう前なので、新しいゲル５と交換すればよく、高価かつ貴重な試料を無駄にしなくて済み、電気泳動をやり直す手間もなくすことができる。
【００５５】
〔実施の形態２〕
本発明に係る他の実施形態について、図３および図４に基づいて説明すれば以下の通りである。なお、本実施形態では、前記実施の形態１との相違点について説明するため、説明の便宜上、実施の形態１において説明した部材と同一の機能を有する部材には同一の部材番号を付し、その説明を省略する。
【００５６】
まず本実施形態における電気泳動転写装置の構成について図４を用いて説明する。
【００５７】
図４は、電気泳動転写装置１９の構成を示す図であり、陰極側電極１および陽極側電極２、電気泳動をおこなう第一の配置となっている。
【００５８】
実施の形態１に記載した電気泳動転写装置１０と異なり、電気泳動転写装置１９においては、ケース９の両端部に配設されるローラー１３がそれぞれ複数あり、陰極側電極１と陽極側電極２とは、ガイドシートではなくガイドテープ１２を介してつながっている。
【００５９】
陰極側電極１および陽極側電極２は、実施の形態１において使用した電極と同一である。陰極側電極１および陽極側電極２とは、非導電性であるガイドテープ１２によってつながっており、全体としてループ状となっている。ガイドテープ１２は、陰極側電極１および陽極側電極２の横幅に対応する幅が、実施の形態１のガイドシート３よりも小さく、陰極側電極１および陽極側電極２の横幅の両端部においてつながっている。ガイドテープ１２としては、ポリイミド、ポリエステル、ポリカーボネート、フッ素樹脂、シリコーン、および塩化ビニル樹脂などを用いることができる。
【００６０】
陰極側電極１と、陽極側電極２と、ガイドテープ１２とは１つのループ上のベルト２７を構成している。ベルト２７は、ベルト２７のループの内部に配置された複数のローラー（電極移動手段）１３によって保持されており、ローラー１３を介してケース９内に取り付けられている。ここでは６つのローラー１３によって保持されている。すべてのローラー１３は、各々の回転軸１８が互いに平行であり、かつ、各々の回転軸１８が、ケース９の底面と平行となるように、ケース９の内部に取り付けられている。ケース９の一方の端部に取り付けられたローラー１３のうち、最も上部にあるローラー１３の鉛直方向最上部の、ケース９の底面からの高さ５１と、他方の端部に取り付けられたローラー１３のうち、最も上部にあるローラー１３の鉛直方向最上部の、ケース９の底面からの高さ５１とが等しくなるようにローラー１３は配設されている。また、ケース９の一方の端部に取り付けられたローラー１３のうち、最も下部にあるローラー１３の鉛直方向最下部の、ケース９の底面からの高さ５２と、他方の端部に取り付けられたローラー１３のうち、最も下部にあるローラー１３の鉛直方向最下部の、ケース９の底面からの高さ５２とが等しくなるようにローラー１３は配設されている。なお、本実施形態においては、ローラー１３の径は、すべて等しい。
【００６１】
以上のように、電気泳動転写装置１９の一方の端部に取り付けるローラー１３が複数あるので、陰極側電極１および陽極側電極２が第一の配置にあるときには、陰極側電極１および陽極側電極２が複数回折り返された構造となる。それにより、電気泳動転写装置１９に対する陰極側電極１および陽極側電極２の占有する空間の方向１４に沿った幅が小さくなり、電気泳動転写装置１９を小型化することができる。
【００６２】
複数あるローラー１３のうち、少なくとも１つにはモーターが接続されており、モーターによる駆動により、ローラー１３は回転軸１８を中心に回転するように構成されている。また、ベルト２７は、ローラー１３の取り付ける位置を調整することにより、ベルト２７に対して、ループの内側から外側に向けて所定のテンションをかけることができる。それによりベルト２７のたるみを防ぐことができ、たとえば、陰極側電極１および陽極側電極２が後述する転写の配置にある状態のときに、陰極側電極１と陽極側電極２との間の距離を一定に保つことができる。
【００６３】
つぎに、電気泳動転写装置１９における電気泳動時および転写時の陰極側電極１および陽極側電極２の配置について、図３（ａ）および（ｂ）を用いて説明する。
【００６４】
図３（ａ）は、電気泳動時におけるゲル５に対する陰極側電極１および陽極側電極２の配置（第一の配置）を示す図であり、図３（ｂ）は、転写時におけるゲル５に対する陰極側電極１および陽極側電極２配置（第二の配置）を示す図である。
【００６５】
図３（ａ）に示すように、電気泳動転写装置１９の一方の端部に取り付けるローラー１３が複数あるので、陰極側電極１および陽極側電極２が第一の配置にあるときには、陰極側電極１および陽極側電極２が複数回折り返された構造となる。また、陰極側電極１および陽極側電極２をつなぎ合わせるためにガイドテープ１２を用いるので、ゲル５の上面はシートなどによって覆われておらず、電気泳動をおこなう際に、ゲル５および転写膜７の装置への固定、ならびにゲル５への試料の導入が容易となる。
【００６６】
電気泳動が終了したら、モーターを用いてローラー１３を回転させることによって、陰極側電極１および陽極側電極２を移動させる。それにより陰極側電極１および陽極側電極２の配置を変化させ、図３（ｂ）に示すように、陰極側電極１および陽極側電極２をゲル５の上面および下面に対向する位置に配置する。ここでは、ゲル５の上面と対向する位置には必ず陰極側電極１があり、ゲル５の下面と対向する位置には必ず陽極側電極２があるようにベルト２７を移動させている。
【００６７】
ついで、ゲル５に電圧を印加し、試料を転写膜７に向かって移動させ、転写をおこなう。
【００６８】
本実施形態においても、実施の形態１と同様に、電気泳動を開始してから転写が終了するまで、ゲル５を電気泳動転写装置１９から取り外したり、移動させたりすることはない。したがって、電気泳動後のゲル５が、転写をおこなう前に破れたり歪んだりすることを防ぐことができる。
【００６９】
〔実施の形態３〕
本発明に係る他の実施形態について、図５に基づいて説明すれば以下の通りである。なお、本実施形態では、前記実施の形態１との相違点について説明するため、説明の便宜上、実施の形態１において説明した部材と同一の機能を有する部材には同一の部材番号を付し、その説明を省略する。
【００７０】
まず本実施形態における電気泳動転写装置の構成について図５（ａ）および（ｂ）を用いて説明する。
【００７１】
図５（ａ）は、ゲル５に対する陰極側電極１および陽極側電極２の配置が電気泳動をおこなう配置（第一の配置）にあるときの電気泳動転写装置２９の断面図であり、図５（ｂ）は、陰極側電極１および陽極側電極２のゲル５に対する配置が転写をおこなう配置（第二の配置）にあるときの電気泳動転写装置２９の断面図である。
【００７２】
実施の形態１に記載した電気泳動転写装置１０と異なり、本実施形態の電気泳動転写装置２９においては、陰極側電極１と陽極側電極２とはつながっていない。また、陰極側電極１および陽極側電極２をローラーに巻き取ったり、引き出したりすることにより陰極側電極１および陽極側電極２の配置を変化させる構成となっている。
【００７３】
陰極側電極１および陽極側電極２は、実施の形態１において使用した電極と同一である。
【００７４】
図５（ｂ）に示すように、陰極側電極１および陽極側電極２は、それぞれ非導電性であるリードシート２２を介して巻取りローラー（電極移動手段）２１に取り付けられている。リードシート２２としては、ポリイミド、ポリエステル、ポリカーボネート、フッ素樹脂、シリコーン、および塩化ビニルなどを用いることができる。
【００７５】
２つの巻取りローラー２１は、各々の回転軸２５が互いに平行であり、かつ、各々の回転軸２５がケース９の底面と平行であり、該底面からの高さが等しくなるように、ケース９の内部に取り付けられている。本実施形態においては、巻取りローラー２１の径は、互いに等しい。
【００７６】
巻取りローラー２１には、モーターが接続されており、モーターによる駆動により、巻取りローラー２１は回転軸２５を中心に回転するように構成されている。巻取りローラー２１を回転させることにより、リードシート２２および、陰極側電極１または陽極側電極２を巻取りローラー２１に巻き取ることができる。それにより、電極が電気泳動をおこなう第一の配置にあるときの電気泳動転写装置２９に対する陰極側電極１および陽極側電極２の占有領域が小さくなり、電気泳動転写装置２９を小型化することができる。
【００７７】
陰極側電極１および陽極側電極２が第一の配置にあるときは、陰極側電極１または陽極側電極２およびリードシート２２は巻取りローラー２１に巻き取られているので、ゲル５の上面はシートなどによって覆われていない。したがって、電気泳動をおこなう際に、ゲル５および転写膜７の装置への固定、ならびにゲル５への試料の導入が容易となる。
【００７８】
また、陰極側電極１および陽極側電極２は、巻取りローラー２１とつながっている側と反対側においてもリードシート２２とつながっており、リードシート２２を介してガイド（電極移動手段）２３が取り付けられている。ガイド２３は、巻取りローラー２１に巻き取られている陰極側電極１および陽極側電極２を適切な位置に導くための部材である。
【００７９】
ケース９の壁面には、泳動分離する方向に沿ってガイド溝２４が設けられており、ガイド２３は、ガイド溝２４に取り付けられている。陰極側電極１を導くためのガイド２３が取り付けられているガイド溝２４は、ゲル５の上面よりも上部にあるように形成されており、陽極側電極２を導くためのガイド２３が取り付けられているガイド溝２４は、ゲル５の下面および転写膜７よりも下部にあるように形成されている。なお、ゲル５の下面よりも下部にあるガイド溝２４は、ケース９の壁面ではなく底面に設けられていてもよい。また、ガイド溝２４の構造としては、溝ではなく凸状構造のものであってもよい。
【００８０】
ゲル５の端部とその端部に近い側の巻取りローラー２１との間にはガイドローラー２０が設けられている。ガイドローラー２０の回転軸２６は、巻取りローラー２１の回転軸２５と平行である。ガイドローラー２０は、陰極側電極１および陽極側電極２またはリードシート２２と接しており、陰極側電極１および陽極側電極２が第二の配置にあるときに、ゲルの上面または下面に対向する位置にある陰極側電極１および陽極側電極２を、ゲルの上面および下面と平行にさせるような位置に設けられている。それにより、陰極側電極１および陽極側電極２が後述する転写の配置にある状態のときに、陰極側電極１および陽極側電極２との間の距離を一定に保つことができる。
【００８１】
電気泳動が終了した後、モーターを用いて巻取りローラー２１を回転させる。それにより、図５（ｂ）に示すように、巻取りローラー２１に巻き取られていた陰極側電極１および陽極側電極２を引き出す。ここでは、ゲル５の上面に対向する位置には必ず陰極側電極１があり、またゲル５の下面に対向する位置には必ず陽極側電極があるような位置まで引き出している。なお、この場合には、巻取りローラー２１がリードシート２２を押し出すことにより、陰極側電極１および陽極側電極２を引き出している。そのため、リードシート２２は押し出しが可能な剛性を有していることが好ましく、例えば、ＰＥＴまたはポリイミドのシートで、厚みが５０μｍ〜１００μｍのシートであることが好ましい。また、陰極側電極１および陽極側電極２を引き出す手段として、モーターを用いて、または手動によりガイド２３を移動させることによって、陰極側電極１および陽極側電極２を引き出すものであってもよい。
【００８２】
ついで、ゲル５に電圧を印加し、試料を転写膜７に向かって移動させ、転写をおこなう。
【００８３】
本実施形態においても、実施の形態１と同様に、電気泳動を開始してから転写が終了するまで、ゲル５を電気泳動転写装置２９から取り外したり、移動させたりすることはない。したがって、電気泳動後のゲル５が、転写をおこなう前に破れたり歪んだりすることを防ぐことができる。
【００８４】
〔実施の形態４〕
本発明に係る他の実施形態について、図６に基づいて説明すれば以下の通りである。なお、本実施形態では、前記実施の形態１との相違点について説明するため、説明の便宜上、実施の形態１において説明した部材と同一の機能を有する部材には同一の部材番号を付し、その説明を省略する。
【００８５】
まず本実施形態における電気泳動転写装置の構成について図６（ａ）および（ｂ）を用いて説明する。
【００８６】
図６（ａ）は、ゲル５に対する陰極側電極１および陽極側電極２の配置が電気泳動をおこなう配置（第一の配置）にあるときの電気泳動転写装置３９の断面図であり、図６（ｂ）は、ゲル５に対する陰極側電極１および陽極側電極２の配置が転写をおこなう配置（第二の配置）にあるときの電気泳動転写装置３９の断面図である。
【００８７】
実施の形態１に記載した電気泳動転写装置１０と異なり、本実施形態の電気泳動転写装置３９においては、電極は板状電極であり、陰極側電極１と陽極側電極２とはつながっていない。本実施形態では、陰極側電極１および陽極側電極２それぞれをスライドさせることにより、陰極側電極１および陽極側電極２の配置を変化させる構成となっている。
【００８８】
陰極側電極１および陽極側電極２は、白金板、またはカーボンなどの導電性の物質を含む樹脂板などの板状電極であり、従来用いられているものでよい。陰極側電極１および陽極側電極２にはガイド（電極移動手段）３２が設けられている。ガイド３２は、ホルダーケース３０の壁面に設けられたガイド溝３１に沿って移動できるように取り付けられている。
【００８９】
ケース９の壁面には、泳動分離する方向に沿ってガイド溝３１が設けられており、ガイド３２は、ガイド溝３１に取り付けられている。陰極側電極１を導くためのガイド３２が取り付けられているガイド溝３１は、ゲル５の上面よりも上部にあるように形成されており、陽極側電極２を導くためのガイド３２が取り付けられているガイド溝３１は、ゲル５の下面および転写膜７よりも下部にあるように形成されている。なお、ゲル５の下面よりも下部にあるガイド溝３１は、ケース９の壁面ではなく底面に設けられていてもよい。
【００９０】
ガイド３２には、モーターが接続されており、モーターによる駆動により、ガイド３２をガイド溝３１に沿って移動するよう構成されている。ガイド３２の移動により、陰極側電極１または陽極側電極２もスライドして移動する。それにより、陰極側電極１および陽極側電極２の位置を、電気泳動または転写に最適な位置まで移動させることができる。
【００９１】
電気泳動をおこなう場合には、図６（ａ）に示すように、陰極側電極１および陽極側電極２がゲル５の上面および下面と対向しない位置まで、それぞれの電極をスライドさせる。この状態においてはゲル５を固定する領域は、陰極側電極１および陽極側電極２に覆われていないので、ゲル５および転写膜７の装置への固定、ならびにゲル５への試料の導入が容易となる。試料を導入した後、この状態で電気泳動をおこなう。
【００９２】
電気泳動が終了したら、モーターを用いてまたは手動によりガイドを移動させることにより、陰極側電極１および陽極側電極２をスライドさせ移動させている。ここでは、ゲル５の上面と対向する位置には必ず陰極側電極１があるような位置まで陰極側電極１をスライドさせ、同様に、ゲル５の下面と対向する位置には必ず陽極側電極２があるような位置まで陽極側電極２をスライドさせる。それにより、図６（ｂ）に示すように、陰極側電極１および陽極側電極２がゲル５の上下面に配置される。
【００９３】
ついで、ゲル５に電圧を印加し、試料を転写膜７に向かって移動させ、転写をおこなう。
【００９４】
なお、板状電極としては、広く用いられているものを使用すればよく、上述した実施形態に用いた膜状の電極のように新たに作製する必要がない。したがって、陰極側電極１および陽極側電極２として板状電極を用いることにより、電気泳動転写装置３９の作製が容易となる。また、実施の形態１において使用した膜状の電極を板状部材に貼り付けたものであってもよい。この場合には、板状部材として、たとえば、厚さ０．５ｍｍ〜１ｍｍ程度のフッ素樹脂シートを用いることができるが、これに限定されるものではない。
【００９５】
本実施形態においても、実施の形態１と同様に、電気泳動を開始してから転写が終了するまで、ゲル５を電気泳動転写装置３９から取り外したり、移動させたりすることはない。したがって、電気泳動後のゲル５が、転写をおこなう前に破れたり歪んだりすることを防ぐことができる。
【００９６】
本発明の電気泳動転写装置は、上述した実施の形態の機構を並列に並べ、同時に複数の電気泳動、および転写をおこなう装置とすることが可能である。この場合には、電源を共通して使用することができ、電極を移動させるためのモーターも併用することができる。
【００９７】
また上述した実施の形態においては、転写膜７をゲル５の下面に密着させて配置しているが、ゲル５の上面に密着させて配置してもよい。この場合には、転写をおこなう第二の配置において、陰極側電極１は、ゲル５の下面と対向する位置に、陽極側電極２は、ゲル５の上面と対向する位置に配置される。
【００９８】
また、上述した実施の形態においては、ローラーまたはガイドの駆動はモーターを用いておこなっているが、手動により動かすものであってもよい。
【００９９】
なお、本発明は上述した実施形態に限定されるものではなく、請求項に示した範囲において種々の変更が可能である。すなわち、請求項に示した範囲において、適宜変更した技術的手段を組み合わせて得られる実施形態についても本発明の技術的範囲に含まれる。
【０１００】
（付記事項）
なお、本発明の電気泳動転写装置は、以下の点を特徴点としていると換言することも可能である。すなわち、電極とそれを固定するケースで構成され、特定方向に電圧を印加することができる電気泳動装置および転写（ブロッティング）装置において、電気泳動用の電極と、前記電気泳動用の電極を移動させる電極移動機構を備え、前記電気泳動用の電極を移動させて、転写用電極として使用することを特徴としていると換言することができる。
また、上記の構成において、電気泳動用の電極が、柔軟なシート状電極で構成され、電極移動機構が、少なくとも２つ以上のローラーを備えた送り機構であることが好ましい。
さらに、上記の構成において、板状の電極をスライドさせることによって、電極の位置を変えることが好ましい。
さらに、電気泳動後にゲルを取り外して転写膜をセットする手順をおこなうことなく、同一装置で電極の位置を移動させることで連続的に電気泳動と転写がおこなえる機構を備えていることが好ましい。
【産業上の利用可能性】
【０１０１】
本発明にかかる電気泳動転写装置は、タンパク質や核酸などの生体試料を、電気泳動により分離して、分離した試料を転写膜に転写し、免疫反応などを利用して試料を分析する手段に好適に利用することができる。
【図面の簡単な説明】
【０１０２】
【図１】（ａ）は、本発明の実施形態における電気泳動転写装置の、電気泳動時におけるシート状電極の配置を示す斜視図であり、（ｂ）は、（ａ）の転写時におけるシート状電極の配置を示す斜視図である。
【図２】（ａ）は、本発明の実施形態における電気泳動転写装置の、泳動分離する方向に沿った断面図であり、（ｂ）は、本発明の実施形態における電気泳動装置の、泳動分離する方向に直交する方向に沿った断面図である。
【図３】（ａ）は、本発明の別の実施形態における電気泳動転写装置の、電気泳動時におけるシート状電極の配置を示す斜視図であり、（ｂ）は、（ａ）の転写時におけるシート状電極の配置を示す斜視図である。
【図４】本発明の別の実施形態における電気泳動転写装置の、泳動分離する方向に沿った断面図である。
【図５】（ａ）は、本発明の別の実施形態における電気泳動転写装置の電気泳動時における断面図であり、（ｂ）は、（ａ）の電気泳動転写装置の転写時における断面図である。
【図６】（ａ）は、本発明の別の実施形態における電気泳動転写装置の電気泳動時における断面図であり、（ｂ）は、（ａ）の電気泳動転写装置の転写時における断面図である。
【図７】（ａ）および（ｂ）は、本実施形態の電気泳動転写装置に用いるゲル作製器具を示した図である。
【図８】（ａ）および（ｂ）は、本発明の実施形態における電気泳動転写装置の断面図である。
【図９】（ａ）は、従来の電気泳動装置を示す断面図であり、（ｂ）は、従来の転写装置を示す断面図である。
【図１０】（ａ）および（ｂ）は、従来の電気泳動転写装置を示す図である。
【符号の説明】
【０１０３】
１        陰極側電極
２        陽極側電極
３        ガイドシート（非導電性の材料）
４        ローラー（電極移動手段）
５        ゲル（試料分離用ゲル）
６        スリット
７        転写膜（転写対象物）
８        バッファー
９        ケース
１０      電気泳動転写装置
１１      回転軸
１２      ガイドテープ（非導電性の材料）
１３      ローラー（電極移動手段）
１４      方向
１５      方向
１６      固定部
１７      シート
１８      回転軸
１９      電気泳動転写装置
２０      ガイドローラー
２１      巻取りローラー（電極移動手段）
２２      リードシート
２３      ガイド（電極移動手段）
２４      ガイド溝
２５      回転軸
２６      回転軸
２７      ベルト
２９      電気泳動転写装置
３０      ホルダーケース
３１      ガイド溝
３２      ガイド（電極移動手段）
３９      電気泳動転写装置
４０      フレームカセット
４１      板
４２      開口部
５１      高さ
５２      高さ
５３      ピン
７１      電気泳動槽
７２      プラットフォーム
７３      ゲル
７４      緩衝液
７７      電気的転写用板状電極
７８      膜
７９      電気泳動装置
８０      電気泳動装置
８１      陰極側電極
８２      陽極側電極
８３      ゲル
８４      泳動バッファー
８５      ホルダー
９０      転写装置
９１      陰極側電極
９２      陽極側電極
９３      ゲル
９４      転写バッファー
９５      ホルダー
９６      転写膜
【図１】
2009063454.tif 000003
【図２】
2009063454.tif 000004
【図３】
2009063454.tif 000005
【図４】
2009063454.tif 000006
【図５】
2009063454.tif 000007
【図６】
2009063454.tif 000008
【図７】
2009063454.tif 000009
【図８】
2009063454.tif 000010
【図９】
2009063454.tif 000011
【図１０】
2009063454.tif 000012